(57)【要約】【課題】複数の他室換気空気から温度の高い空気を取込んで熱交換器で熱回収することにより、暖房の性能を向上させることのできる換気空調装置を提供する。【解決手段】圧縮機３０と、第１熱交換器１４と、減圧手段３１と、第２熱交換器１５からなる冷凍サイクルと、熱交換器に空気を送る送風装置と、複数の他室吸込口毎に温度検出手段と開閉手段と、これらを制御する制御手段とを備え、複数の他室吸込口から吸われる空気温度を検知し、空気温度の高い他室吸込口に設けた開閉手段の開度を開けることで、高い温度の空気を優先的に吸い込み、第２熱交換器１５に流す空気の温度を高めて回収できる熱量を増加することができる。【選択図】図１
2016156575.tif 000002
【特許請求の範囲】
【請求項１】
第１の部屋の空調を行い、他の複数の部屋の換気を行う換気空調装置であって、
圧縮機と、第１熱交換器と、減圧手段と、第２熱交換器からなる冷凍サイクルと、
第１の部屋に送風する循環用送風装置と、
屋外に空気を排出する換気用送風装置と、
第１の部屋、他の複数の部屋ごとに設けられた吸込口とを有し、
本体内には、
循環用送風装置によって、第１の部屋から空気を吸い込んで、第１熱交換器を通じて第１の部屋に送風する空調経路と、
換気用送風装置によって、他の部屋から空気を吸い込んで、第２熱交換器を通じて屋外へ排出する換気経路が形成され、
他の部屋に対応するそれぞれの吸込口に、
温度検出手段と、
通過する空気の量を調節する開閉手段を設け、
さらに、循環用送風装置と、換気用送風装置と、開閉手段と、冷凍サイクルの制御を行う制御手段を備え、
他の部屋に対応する吸込口毎に流れる空気温度を温度検出手段で検出し、
制御手段は、検出した温度が高い吸込口の開閉手段を、検出した温度が低い吸込口の開閉手段よりも大きく開放することを特徴とする換気空調装置。
【請求項２】
前記第１の部屋の室内温度を検出する室内温度検出手段を設け、
前記制御手段は、前記冷凍サイクルを制御して前記第１の部屋の室内温度を室内温度設定値に収束させるように空調制御を行い、
検出された前記第１の部屋の室内温度と前記室内温度設定値との差に応じ、この差が大きいほど、前記他の部屋の温度が高い吸込口の開閉手段の開度と前記他の部屋の温度が低い吸込口の開閉手段の開度との比を大きくする請求項１に記載の換気空調装置。
【発明の詳細な説明】
【技術分野】
【０００１】
本発明は、ヒートポンプを利用して浴室などの換気空調を行う換気空調装置の熱回収方法に関するものである。
【背景技術】
【０００２】
従来、この種のヒートポンプを利用した換気空調装置は、浴室または洗面室において使用されていた。
【０００３】
浴室以外から空気を取り入れるための吸気口と、前記吸気口を介して取り入れられた空気を浴室内に吹き出すための送風口と、ヒートポンプ装置の一部を構成する熱交換器とを具備し、浴室以外から取り入れた空気に対してヒートポンプの一方の熱交換器が放熱（または吸熱）を行い、その空気を浴室内に吹き出すとともに、ヒートポンプの他方の熱交換器が浴室から屋外に換気する空気に対して吸熱（または放熱）をすることで浴室を空調するものがあった（例えば、特許文献１参照）。
【先行技術文献】
【特許文献】
【０００４】
【特許文献１】特開２００５−１８０７１２号公報
【発明の概要】
【発明が解決しようとする課題】
【０００５】
このようにヒートポンプを利用した換気空調装置は様々なものが提案されているが、特許文献１に例示される換気空調装置は、ヒートポンプを用いて、浴室から屋外に換気される空気から熱を回収して、浴室以外から取り入れた空気に熱を放熱して浴室を暖房するものである。
【０００６】
この種のものは、熱交換器において排出空気の全ての熱量を回収することは不可能であるため、浴室を空調した熱の一部が屋外に漏洩することによる熱損失が生じ、熱効率が悪く、また、浴室以外から取り入れられた空気を浴室に吹出すことから、この取り込んだ空気が低温の場合、浴室に吹出す空気の温度は低くなってしまうという課題があった。
【０００７】
すなわち、ヒートポンプを用いて他室より換気する熱を回収して室内の暖房する方式では、換気する空気の温度が低いと回収熱量が低下し、暖房能力が低下することは明白である。
【０００８】
そこで本発明は、上記課題を解決するものであり、浴室の換気をせずに浴室の暖房を行うことで熱損失を低減させて熱交換効率を向上させるとともに、複数の他室換気空気から温度の高い空気を選択することにより、暖房の性能を向上させることのできる換気空調装置を提供することを目的とする。
【課題を解決するための手段】
【０００９】
そして、この目的を達成するために、本発明の換気空調装置は、第１の部屋の空調を行い、他の複数の部屋の換気を行う換気空調装置であって、圧縮機と、第１熱交換器と、減圧手段と、第２熱交換器からなる冷凍サイクルと、第１の部屋に送風する循環用送風装置と、屋外に空気を排出する換気用送風装置と、第１の部屋、他の複数の部屋ごとに設けられた吸込口とを有し、本体内には、循環用送風装置によって、第１の部屋から空気を吸い込んで、第１熱交換器を通じて第１の部屋に送風する空調経路と、換気用送風装置によって、他の部屋から空気を吸い込んで、第２熱交換器を通じて屋外へ排出する換気経路とを有し、他の部屋に対応するそれぞれの吸込口に、温度検出手段と、通過する空気の量を調節する開閉手段を設け、さらに、循環用送風装置と、換気用送風装置と、開閉手段と、冷凍サイクルの制御を行う制御手段を備え、他の部屋に対応する吸込口毎に流れる空気温度を温度検出手段で検出し、制御手段は、検出した温度が高い吸込口の開閉手段を、検出した温度が低い吸込口の開閉手段よりも大きく開放することを特徴としたものであり、これにより所期の目的を達成するものである。
【発明の効果】
【００１０】
本発明の換気空調装置によれば、第１の部屋の空調を行い、他の複数の部屋の換気を行う換気空調装置であって、圧縮機と、第１熱交換器と、減圧手段と、第２熱交換器からなる冷凍サイクルと、第１の部屋に送風する循環用送風装置と、屋外に空気を排出する換気用送風装置と、第１の部屋、他の複数の部屋ごとに設けられた吸込口とを有し、本体内には、循環用送風装置によって、第１の部屋から空気を吸い込んで、第１熱交換器を通じて第１の部屋に送風する空調経路と、換気用送風装置によって、他の部屋から空気を吸い込んで、第２熱交換器を通じて屋外へ排出する換気経路とを有し、他の部屋に対応するそれぞれの吸込口に、温度検出手段と、通過する空気の量を調節する開閉手段を設け、さらに、循環用送風装置と、換気用送風装置と、開閉手段と、冷凍サイクルの制御を行う制御手段を備えたことで、他の部屋に対応する吸込口毎に流れる空気温度を温度検出手段で検出し、制御手段は、検出した温度が高い吸込口の開閉手段を、検出した温度が低い吸込口の開閉手段よりも大きく開放することから、本体内に温度の高い空気を優先的に吸い込むことで暖房能力を向上させることができるという効果を得ることができる。
【図面の簡単な説明】
【００１１】
【図１】本発明の実施の形態１記載の換気空調装置の暖房運転風路の構成を示す概略断面図
【図２】同、換気空調装置の設置状況を示す概略断面図
【図３】同、換気空調装置の乾燥運転風路の構成を示す概略断面図
【図４】同、制御手段との電気接続を示す概略構成図
【図５】同、操作部の構成を示す概略図
【図６】同、開閉手段の閉状態を示す概略断面図
【図７】同、換気空調装置の換気運転風路の構成を示す概略断面図
【発明を実施するための形態】
【００１２】
本発明の請求項１記載の発明は、第１の部屋の空調を行い、他の複数の部屋の換気を行う換気空調装置であって、圧縮機と、第１熱交換器と、減圧手段と、第２熱交換器からなる冷凍サイクルと、第１の部屋に送風する循環用送風装置と、屋外に空気を排出する換気用送風装置と、第１の部屋、他の複数の部屋ごとに設けられた吸込口とを有し、本体内には、循環用送風装置によって、第１の部屋から空気を吸い込んで、第１熱交換器を通じて第１の部屋に送風する空調経路と、換気用送風装置によって、他の部屋から空気を吸い込んで、第２熱交換器を通じて屋外へ排出する換気経路とを有し、他の部屋に対応するそれぞれの吸込口に、温度検出手段と、通過する空気の量を調節する開閉手段を設け、さらに、循環用送風装置と、換気用送風装置と、開閉手段と、冷凍サイクルの制御を行う制御手段とを備えた換気空調装置であって、
他の部屋に対応する吸込口毎に流れる空気温度を温度検出手段で検出し、制御手段は、検出した温度が高い吸込口の開閉手段を、検出した温度が低い吸込口の開閉手段よりも大きく開放することで、本体内に温度の高い空気を優先的に吸い込み、第２熱交換器に流す空気の温度を高める。そして、第２熱交換器に流す空気温度が高いと、回収できる熱量を増加することができるので暖房能力を向上させることができる。
【００１３】
また、前記第１の部屋の室内温度を検出する室内温度検出手段を設け、前記制御手段は、前記冷凍サイクルを制御して前記第１の部屋の室内温度を室内温度設定値に収束させるように空調制御を行い、検出された前記第１の部屋の室内温度と前記室内温度設定値との差に応じ、この差が大きいほど、前記他の部屋の温度が高い吸込口の開閉手段の開度と前記他の部屋の温度が低い吸込口の開閉手段の開度との比を大きくするとしてもよい。
【００１４】
これにより、予め設定された空調設定温度と検出された室内温度の差分に応じて、複数の開閉手段の開度を調整することになる。すなわち、空調設定温度と室内温度の差分が大きなときは、高い温度の空気が検出されている側の他室吸込口に設けられた開閉手段を通常よりも開き、温度の低い空気が検出されている側の他室吸込口に設けられた開閉手段を通常よりも閉めることで、本体内に吸い込む空気温度を調整する。
【００１５】
従って、浴室の暖房開始時など暖房能力が必要なときには、第２熱交換器に流す空気の温度をより一層高めることで回収できる熱量を増加して浴室を早く暖めることができる。そして、その後浴室の温度が上がってくることに応じて、設定温度との偏差が小さくなり、他室吸込口に設けられた開閉手段の開度の比を小さくすることで他の部屋の換気量を確保することができるという効果を奏する。
【００１６】
以下、本発明の実施の形態について図面を参照しながら説明する。
【００１７】
（実施の形態１）
本発明の実施の形態１の換気空調装置を図１から図７を参照しながら説明する。
【００１８】
図１に示すように、本実施の形態の換気空調装置１は、室内の天井面に取り付けられるものである。
【００１９】
換気空調装置１には、取り付けた室内２（例えば浴室）に開口して空気を吸い込む第１吸込口３と、第２吸込口４と、室内２に空気を吹き出す吹出口５が備えられている。また、換気空調装置１の本体には、屋外へ空気を排気する換気口６と、第１他室７および第２他室８と連通する第１他室吸込口９および第２他室吸込口１０を備えている。この第１他室７、第２他室８は、室内２とは別の部屋である。
【００２０】
すなわち、図２に示すように、第２他室吸込口１０には、ダクト１１が接続され、第２他室８（例えばリビング）に開口した第２他室吸込部１２を介して第２他室８に連通している。同様に第１他室吸込口９にもダクト１１が接続され、第１他室７（例えばトイレ）に開口した第１他室吸込部１３を介して第１他室７に連通している。
【００２１】
また、換気空調装置１の内部には、通過させる空気を温める第１熱交換器１４と、通過させる空気を冷却する第２熱交換器１５と、換気口６へ空気を送風する換気用送風装置１６と、吹出口５へ送風する循環用送風装置１７とを備えている。
【００２２】
また、第１他室吸込口９には、この第１他室吸込口９の開口の開け閉め、および開度を調節して吸込む空気の量を調整する第１開閉手段１８と、第１他室７から吸い込まれた空気の温度を検出する第１温度検出手段１９を備えている。同様に、第２他室吸込口１０には、この第２他室吸込口１０の開口の開け閉め、および開度を調節して吸込む空気の量を調整する第２開閉手段２０と、第２他室８から吸い込まれた空気の温度を検出する第２温度検出手段２１とを備えている。
【００２３】
室内温度検出手段２２は、室内２空間に面した位置に設けられ、室内２の空気温度を検出する。
【００２４】
また、換気口６には、この換気口６の開口の開け閉めをする、第３開閉手段２３を設けている。第２吸込口４には、この第２吸込口４の開口を開け閉めして室内２の空気を、換気口６へ直接連通させる第４開閉手段２４を設けている。吹出口５には、この吹出口５の開口を開け閉めする第５開閉手段２５を設けている。
【００２５】
第１吸込口３において室内２側と第１熱交換器１４と空調風路２８を連通し、室内２側と第２熱交換器１５を遮断する第６開閉手段２６を設ける。この第６開閉手段２６は、室内２側と換気空調装置１内部との連通を遮断し、第１熱交換器１４と第２熱交換器１５との間を連通させる位置に切り替えることができる構成としている。
【００２６】
そして、換気空調装置１の内部には、第６開閉手段２６の切り替えにより、第２吸込口４から第２熱交換器１５、第６開閉手段２６、第１熱交換器１４、循環用送風装置１７、吹出口５へ連通する除湿風路が形成される（図３参照）。
【００２７】
そして、図１のように第６開閉手段２６を切り替えた場合、換気風路２７が形成される。この換気風路２７は、換気用送風装置１６の運転によって、第１他室吸込口９、第２他室吸込口１０から第２熱交換器１５を介して、また、第２吸込口４は直接換気口６へ連通する風路となっている。
【００２８】
一方、この場合、循環用送風装置１７側には、空調風路２８が形成される。この空調風路２８は、循環用送風装置１７の運転によって、第１吸込口３から第１熱交換器１４を介して吹出口５へ連通する風路となっている。
【００２９】
第１熱交換器１４と第２熱交換器１５は、冷媒を還流させる冷凍管２９によって接続され、一方の流路には冷媒を圧縮する圧縮機３０、他方の流路には冷媒を膨張させる減圧手段３１が配置され冷凍サイクルを形成している。
【００３０】
換気空調装置１とは別の場所（例えば室内２の壁）には、操作部３３が取り付けられている。この操作部３３は、複数の空調モードから使用者が選択するスイッチ３２と、動作モードを示す表示部（暖房表示部３７、乾燥表示部３８、換気表示部３９）を有している。図５においては、操作部３３の一例を示し、例えば暖房空調スイッチ３４、乾燥空調スイッチ３５、換気スイッチ３６と、暖房モードを示す暖房表示部３７、乾燥モードを示す乾燥表示部３８、換気モードを示す換気表示部３９を備えた構成となっている。
【００３１】
そして、図４に示すように、制御手段４０は、第２温度検出手段２１、第１温度検出手段１９、操作部３３、および、室内温度検出手段２２の信号を受信し、圧縮機３０と、循環用送風装置１７、換気用送風装置１６、第２開閉手段２０、第１開閉手段１８、第３開閉手段２３、第４開閉手段２４、第５開閉手段２５、第６開閉手段２６を制御する。
【００３２】
図６には、第１開閉手段１８、第３開閉手段２３、第４開閉手段２４、第５開閉手段２５、第６開閉手段２６および、第２開閉手段２０それぞれの閉塞状態を示す。つまり、第１開閉手段１８、第３開閉手段２３、第４開閉手段２４、第５開閉手段２５、第６開閉手段２６、および、第２開閉手段２０のすべてが閉塞している場合には、換気空調装置１内部は、室内２、第２他室８、第１他室７、および屋外に対して遮断された状態となる。
【００３３】
上記構成において、各運転モードにおける動作について説明する。
【００３４】
まず、換気する場合は、すなわち、換気モードで運転する場合は、図５に示す操作部３３にて換気スイッチ３６を押す。すると、換気表示部３９が点灯し、運転モード「換気モード」を使用者に伝えると共に、操作部３３は、制御手段４０に換気モードであることを電気信号で搬送する。
【００３５】
図７に換気モードにおける換気空調装置１の状態を示す。換気モード信号を受信した制御手段４０は、第１開閉手段１８と第２開閉手段２０は中間位置、第３開閉手段２３は開放、第４開閉手段２４は開放、第５開閉手段２５は閉塞、第６開閉手段２６は室内２空間と換気空調装置１内部との連通を遮断する位置に制御する。そして、換気用送風装置１６を作動すると、第２吸込口４より空気を吸込み、吸い込まれた空気は、換気風路２７を通過して、換気口６から屋外へ排気される。一方、第１他室吸込口９と第２他室吸込口１０からも他室（第１他室７、第２他室８）の空気が吸い込まれ、第２熱交換器１５を介して換気口６より屋外へ排気される。
【００３６】
このように、換気モードでは、室内２と第１他室７および第２他室８が換気されることとなる。
【００３７】
また、本実施の形態の換気空調装置１には、上述した換気モードよりも換気する風量を低くして運転する常時換気機能を有している。
【００３８】
この常時換気モードは後述する暖房空調運転モード、乾燥運転モードに設定した以外のとき運転をおこなう。
【００３９】
このため、冷凍サイクルを用いた空調運転以外でも、第１他室７および第２他室８から吸い込まれた空気温度を第１温度検出手段１９と第２温度検出手段２１を用いて検出することができ、後述する暖房空調の開始直後から開閉手段の制御を開始することができる。
【００４０】
次に、室内２を暖房空調する場合は、図５に示す操作部３３にて暖房空調スイッチ３４を押す。すると、暖房表示部３７が点灯し、運転モードを使用者に伝えると共に操作部３３より制御手段４０に暖房運転モードであることを電気信号で搬送する。
【００４１】
図１に、暖房運転モードにおける換気空調装置１の状態を示す。暖房運転モードの信号を受信した制御手段４０は、第１開閉手段１８と第２開閉手段２０は中間位置、第３開閉手段２３は開放、第４開閉手段２４は閉塞、第５開閉手段２５は開放する。そして、第６開閉手段２６は、室内２空間と空調風路２８とを連通し、室内２空間と換気風路２７を遮断する位置とする。また、制御手段４０は、圧縮機３０と循環用送風装置１７と換気用送風装置１６を作動する。圧縮機３０により高温高圧化された冷媒は、冷凍管２９を通り、循環用送風装置１７により室内２から吸込まれた空気に熱を放熱する。そして、減圧手段３１へと移動し減圧され、低温低圧となり第２熱交換器１５へと移動し、換気用送風装置１６により第１他室７と第２他室８から吸込まれた空気の熱を吸収し、圧縮機３０へと戻る。
【００４２】
このように第２熱交換器１５において、冷媒は、第１他室７と第２他室８から吸い込まれ屋外に排出する空気から吸熱する。また、冷媒は、第１熱交換器１４において、室内２空間を循環する空気に放熱する。このようにして、室内２空間を暖房するが、この際、制御手段４０は、第１温度検出手段１９と第２温度検出手段２１の検出温度を比較し、高い温度を検出した他室吸込口に設けた開閉手段の開度を開ける方向に調節する。その一例を図１および図２を用いて説明する。
【００４３】
空調されていない第１他室７に設けられた第１他室吸込部１３より吸い込まれた空気は、ダクト１１を通り、第１他室吸込口９より換気空調装置１の内部へ吸い込まれる。このとき、第１温度検出手段１９において空気温度（Ｔ１：例えば１５℃）が検出される。
【００４４】
また、同様に空調された第２他室８に設けられた第２他室吸込部１２より吸い込まれた暖かい空気は、ダクト１１を通り、第２他室吸込口１０より換気空調装置１の内部へ吸い込まれる。このとき、第２温度検出手段２１において空気温度（Ｔ２：例えば２２℃）が検出される。
【００４５】
制御手段４０は、この空気温度Ｔ１とＴ２を比較し、高い温度を検出した他室吸込口に設けた開閉手段の開度を開ける方向に調節する。この場合、Ｔ２の方が高い温度を検出しているため、第２温度検出手段２１に対応した第２開閉手段２０の開度を開ける動作をする。
【００４６】
このように、温度の高い空気を換気空調装置１に多く取り込むことで、第２熱交換器１５に通る空気温度が高くなるので、回収できる熱量を増加することができる。
【００４７】
また、室内２の温度を室内温度検出手段２２にて検出し、予め設定された空調設定温度（例えば３５℃）に収束するよう暖房運転をおこなう。
【００４８】
この際、検出された室内２の温度の差分（△Ｔ）に応じて、第１開閉手段１８と第２開閉手段２０の開閉開度を調整することができる。
【００４９】
すなわち、空調設定温度と室内２の温度の差が大きい（例えば△Ｔ≧１０）場合は、高い温度の空気が検出されている第２他室８側の第２他室吸込口１０に設けられた第２開閉手段２０を優先的に開く。
【００５０】
一方、低い温度が検出されている第１他室７側の第１他室吸込口９に設けられた第１開閉手段１８は、第２開閉手段２０の開いた量に応じて閉じる。
【００５１】
このようにして、第２熱交換器１５に流す空気の温度を更に高めることで回収できる熱量を増加させる。
【００５２】
一方、空調設定温度と室内２の温度の差が少ない（例えば△Ｔ＜１０）場合は、第１開閉手段１８と第２開閉手段２０の開閉開度を同等とすることで第１他室７と第２他室８それぞれの換気量を確保しつつ、室内２の暖房空調をすることができる。
【００５３】
また、室内２の乾燥空調をするときは、図５に示す操作部３３にて乾燥空調スイッチ３５を押す。すると、乾燥表示部３８が点灯し運転モードを使用者に伝えると共に、操作部３３より制御手段４０に乾燥運転モードであることを電気信号で搬送する。
【００５４】
図３に、乾燥運転モードにおける換気空調装置１の状態を示す。乾燥運転モードの信号を受信した制御手段４０は、第１開閉手段１８と第２開閉手段２０を閉塞、第３開閉手段２３も閉塞、第４開閉手段２４は開放、第５開閉手段２５は開放させる。そして、第６開閉手段２６は室内２空間と換気空調装置１内部との連通を遮断し、第１熱交換器１４と第２熱交換器１５とを連通する位置、つまりは空調風路２８と換気風路２７を連通する位置とする。さらに、圧縮機３０と循環用送風装置１７を作動させて、冷媒が冷凍管２９を通り熱交換を始める。各開閉手段の開閉状態により構成された除湿風路により、第２吸込口４より吸い込まれた空気は、換気風路２７を通過して、第２熱交換器１５にて冷媒によって吸熱される。そのため、吸込まれた空気は冷やされることで露点温度を下回り、第２熱交換器１５に結露を発生させ、除湿される。この保有水分量が減少した空気は、第６開閉手段２６にて構成された風路を通り、第１熱交換器１４へと送られる。この空気は、第１熱交換器１４を通過する冷媒との熱交換により、暖められ吹出口５より室内２へと送風される。従って、室内２空間を乾燥することが可能である。
【００５５】
以上のように、本実施の形態では、暖房空調運転をするときに第１他室吸込口９または第２他室吸込口１０のうち、空気温度の高い側に設けた開閉手段の開度を他方よりも開けることで、高い温度の空気を優先的に吸い込むことができる。このようにして、第２熱交換器１５に流す空気の温度を高めることで回収できる熱量を増加し、暖房能力を向上させることができる。
【００５６】
また、室内２空間の換気を必要としないので熱損失を低減させ熱交換効率を向上させることができる。
【００５７】
さらに、室内２の温度に応じて、第１他室吸込口９または第２他室吸込口１０のうち、空気温度の高い側に設けた開閉手段の開度をさらに開き、他方の開閉手段の開度を閉めることができる。すなわち、空調設定温度と室内２の温度との偏差に応じて、第１開閉手段１８、第２開閉手段２０の開度の比を変更する。空調設定温度と室内２の温度との偏差が大きければ、第１開閉手段１８、第２開閉手段２０の開度の比を大きくする（すなわち、開度の差が大きい）。空調設定温度と室内２の温度との偏差が小さければ、第１開閉手段１８、第２開閉手段２０の開度の比を小さくする（すなわち、開度の差が小さい）。
【００５８】
このようにして、第２熱交換器１５に流す空気の温度をさらに高めることができる。また、室内２の温度と空調設定温度との偏差が小さくなると、開閉手段の開度の比を小さくするので、第１他室７と第２他室８それぞれの換気量を確保することができる。
【００５９】
また、本実施の形態の換気空調装置１は主に浴室の暖房をすることが求められている。しかし、リビングや寝室などに代表される一般居住空間の空調と異なり、浴室の暖房立上り時間に求められる時間は比較的短い。さらに、浴室空間はその容積が小さいため一旦暖めればそれ以降さほど大きな暖房能力は必要としない。そのため、換気空調装置１は立上り時間の数十分間だけでも最大能力を発揮できれば良い。すなわち、温度の高い空気を選択し熱回収の効率を上げることにより、必要以上に容積の大きな圧縮機を搭載する必要がなくなるなど、コストや装置の重量を抑えて適切な能力を保有するためにも本発明は換気空調装置において有効な手段となる。
【００６０】
また、第１開閉手段１８、第２開閉手段２０，第３開閉手段２３、第４開閉手段２４、第５開閉手段２５、および、第６開閉手段２６は、風路の開閉状態を可変できれば良く、例えば駆動源にステッピングモータを用いたものがある。
【００６１】
また、第１熱交換器１４と第２熱交換器１５は冷媒と空気との間で熱交換できれば良く、例えば、縦横に配列した配管とフィンを用いた構成で、材料は熱伝導の良い銅やアルミニウムを主原料としたものがある。
【００６２】
また、減圧手段３１は冷媒を膨張（減圧）できれば良く、配管を細くして一定の減圧を実施するキャピラリーチューブや、減圧量を可変することができる膨張弁、更に電子制御を実現する電動膨張弁などがある。
【００６３】
また、圧縮機３０は冷媒を圧縮し、高温高圧ガスとして冷媒配管へ冷媒を送り出せればよく、駆動源となるモータは交流電圧を印加する誘導電動機を用いても、インバータ駆動方式のＤＣモータを用いてもよい。
【００６４】
また、第１温度検出手段１９、第２温度検出手段２１および室内温度検出手段２２は温度の検知ができれば良く、例えば、正特性サーミスタ、負特性のサーミスタがある。
【産業上の利用可能性】
【００６５】
本発明の換気空調装置は、複数の他室空間より得られる排気熱を回収し、所定の空間に熱を放出するヒートポンプ式空調の熱回収空気を選択することを特徴としたものであり、部屋の空間容積があまり広くないトイレ、脱衣室、クローゼット空間などにも利用することができる。
【符号の説明】
【００６６】
１  換気空調装置
２  室内
３  第１吸込口
４  第２吸込口
５  吹出口
６  換気口
７  第１他室
８  第２他室
９  第１他室吸込口
１０  第２他室吸込口
１１  ダクト
１２  第２他室吸込部
１３  第１他室吸込部
１４  第１熱交換器
１５  第２熱交換器
１６  換気用送風装置
１７  循環用送風装置
１８  第１開閉手段
１９  第１温度検出手段
２０  第２開閉手段
２１  第２温度検出手段
２２  室内温度検出手段
２３  第３開閉手段
２４  第４開閉手段
２５  第５開閉手段
２６  第６開閉手段
２７  換気風路
２８  空調風路
２９  冷凍管
３０  圧縮機
３１  減圧手段
３２  スイッチ
３３  操作部
３４  暖房空調スイッチ
３５  乾燥空調スイッチ
３６  換気スイッチ
３７  暖房表示部
３８  乾燥表示部
３９  換気表示部
４０  制御手段
【図１】
2016156575.tif 000003
【図２】
2016156575.tif 000004
【図３】
2016156575.tif 000005
【図４】
2016156575.tif 000006
【図５】
2016156575.tif 000007
【図６】
2016156575.tif 000008
【図７】
2016156575.tif 000009